(57)【要約】【課題】シャッターの摺動性が取付状態のバラツキの影響を受けにくくするとともに、シャッター摺動時のガタツキを防止できる換気装置を提供する。【解決手段】室内に臨む室内側排気口１０および室内側給気口１１と屋外と連通する室外側排気口８および室外側給気口９とを有し、前記排気口および前記給気口を室内外を連通させるように形成した本体１３と、本体１３の室内側排気口１０を設けた面を覆う形状で本体１３と所定の隙間を設けて本体１３に固定されるシャッターカバー１６と、本体１３とシャッターカバー１６との隙間に設けられたシャッター１４とを備え、シャッター１４、または本体１３のシャッター１４と対向する面に、シャッター１４と本体１３との隙間に介在させる第１の凸部１８を設けた構成とする。【選択図】図４
2005337536.tif 000002
【特許請求の範囲】
【請求項１】
室内に臨む室内側開口と屋外と連通する室外側開口とを有し、前記室内側開口と前記室外側開口とを連通するように形成した本体と、前記本体の前記室外側開口を設けた面をほぼ覆う形状で前記本体と所定の隙間を設けて前記本体に固定されるシャッターカバーと、前記本体と前記シャッターカバーとの隙間に前記室外側開口を遮蔽するように設けられたシャッターとを備えた換気装置であって、前記シャッター、または前記本体の前記シャッターと対向する面に、前記シャッターと前記本体との隙間に介在させる第１の凸部を設けたことを特徴とする換気装置。
【請求項２】
前記第１の凸部を前記シャッターの摺動方向に長くなるように形成したことを特徴とする請求項１記載の換気装置。
【請求項３】
前記本体の下方に突出して形成する前記シャッターのシャッター操作部寄りに、前記シャッターよりも幅狭な部分を形成し、この部分に前記第１の凸部を設けたことを特徴とする請求項１または２記載の換気装置。
【請求項４】
前記第１の凸部を前記シャッターカバーで覆われていない部分に設けたことを特徴とする請求項１〜３のいずれかに記載の換気装置。
【請求項５】
前記第１の凸部を複数個設けたことを特徴とする請求項１〜４のいずれかに記載の換気装置。
【請求項６】
前記シャッター、または前記本体の前記シャッターに対向する面のいずれか一方に第２の凸部を設け、他方に凹部を設け、前記第２の凸部と前記凹部を嵌合させて前記シャッターを全開または全閉の位置で保持する構成としたことを特徴とする請求項１〜５のいずれかに記載の換気装置。
【請求項７】
前記シャッターを所定の開口状態で保持する構成としたことを特徴とする請求項６記載の換気装置。
【請求項８】
前記シャッターを複数段階で選択して保持する構成としたことを特徴とする請求項６記載の換気装置。
【請求項９】
前記第２の凸部と前記第１の凸部をシャッターの摺動方向に並べて設けたことを特徴とする請求項６〜８のいずれかに記載の換気装置。
【請求項１０】
前記第２の凸部の周囲に台座を設けたことを特徴とする請求項６〜９のいずれかに記載の換気装置。
【請求項１１】
前記第２の凸部および前記凹部の外周部を傾斜させて形成したことを特徴とする請求項６〜１０のいずれかに記載の換気装置。
【発明の詳細な説明】
【技術分野】
【０００１】
本発明は、室内と室外を遮断するシャッターを有する換気装置に関するものである。
【背景技術】
【０００２】
従来、この種の換気装置としては、空調換気扇において、本体の背面に設けたシャッターをスライドさせ室内と室外を遮断するものが知られている（例えば、特許文献１参照）。
【０００３】
以下、その空調換気扇の構成について図８を参照しながら説明する。
【０００４】
空調換気扇の本体の外郭１０１には、正面に室内側吸込口１０２および室内側吐出口１０３が設けられ、背面に室外側吐出口１０４と室外側吸込口１０５が設けられ、内部には熱交換器１０６と排気羽根１０７と給気羽根１０８が設けられる構成であり、外郭１０１の背面において室外側吐出口１０４と室外側吸込口１０５を同時に開閉するシャッター１０９が摺動するように取り付けられ、室外側吸込口１０５から取り込まれた屋外の空気と室内側吸込口１０２から吸い込まれた室内の空気は、熱交換器１０６で熱交換されるものである。
【特許文献１】特開昭６１−２８２７４５号公報
【発明の開示】
【発明が解決しようとする課題】
【０００５】
このような従来の換気装置の構成では、本体背面に構成されているシャッターが、壁と本体との隙間を摺動するので、取付状態のバラツキによりシャッターの摺動性が左右されやすく、摩擦によりシャッター操作が重くなることを回避するため、シャッターを摺動させる隙間を充分に確保すると、シャッターの摺動時にがたつきが生じてしまうという課題があった。
【０００６】
本発明は、上記課題を解決するもので、本体背面に構成されるシャッターが摺動時にがたつくのを防止するとともに、取付状態のバラツキに左右されにくいシャッターの摺動性を確保できる換気装置を提供することを目的としている。
【課題を解決するための手段】
【０００７】
前記従来の技術を解決するために、本発明の換気装置は、室内に臨む室内側開口と屋外と連通する室外側開口とを有し、前記室内側開口と前記室外側開口とを連通するように形成した本体と、前記本体の前記室外側開口を設けた面をほぼ覆う形状で前記本体と所定の隙間を設けて前記本体に固定されるシャッターカバーと、前記本体と前記シャッターカバーとの隙間に前記室外側開口を遮蔽するように設けられたシャッターとを備えた換気装置であって、前記シャッター、または前記本体の前記シャッターと対向する面に、前記シャッターと前記本体との隙間に介在させる第１の凸部を設けたことを特徴とするものである。
【０００８】
また、本発明の換気装置は、前記第１の凸部を前記シャッターの摺動方向に長くなるように形成したことを特徴とするものである。
【０００９】
また、本発明の換気装置は、前記本体の下方に突出して形成する前記シャッターのシャッター操作部寄りに、前記シャッターよりも幅狭な部分を形成し、この部分に前記第１の凸部を設けたことを特徴とするものである。
【００１０】
また、本発明の換気装置は、前記第１の凸部を前記シャッターカバーで覆われていない部分に設けたことを特徴とするものである。
【００１１】
また、本発明の換気装置は、前記第１の凸部を複数個設けたことを特徴とするものである。
【００１２】
また、本発明の換気装置は、前記シャッター、または前記本体の前記シャッターに対向する面のいずれか一方に第２の凸部を設け、他方に凹部を設け、前記第２の凸部と前記凹部を嵌合させて前記シャッターを全開または全閉の位置で保持する構成としたことを特徴とするものである。
【００１３】
また、本発明の換気装置は、前記シャッターを所定の開口状態で保持する構成としたことを特徴とするものである。
【００１４】
また、本発明の換気装置は、前記シャッターを複数段階で選択して保持する構成としたことを特徴とするものである。
【００１５】
また、本発明の換気装置は、前記第２の凸部と前記第１の凸部をシャッターの摺動方向に並べて設けたことを特徴とするものである。
【００１６】
また、本発明の換気装置は、前記第２の凸部の周囲に台座を設けたことを特徴とするものである。
【００１７】
また、本発明の換気装置は、前記第２の凸部および前記凹部の外周部を傾斜させて形成したことを特徴とするものである。
【発明の効果】
【００１８】
本発明の換気装置によれば、本体背面に構成されるシャッターが摺動時にがたつくのを防止するとともに、取付状態のバラツキに左右されにくい適切なシャッター摺動性を確保することができる。
【発明を実施するための最良の形態】
【００１９】
請求項１記載の換気装置の発明は、前記シャッター、または前記本体の前記シャッターと対向する面に、前記シャッターと前記本体との隙間に介在させる第１の凸部を設けたものであり、前記本体とシャッターとの隙間を小さくして、本体が取り付く壁面に対して垂直方向のシャッターの動き規制することにより、シャッターの前記垂直方向の可動範囲を抑制するとともに、使用者の摺動方向へのシャッター操作力がシャッターに十分に伝わるので、シャッターのがたつきが抑えられ、シャッターの摺動性を向上させることができる。
【００２０】
請求項２記載の換気装置の発明は、前記第１の凸部を前記シャッターの摺動方向に長くなるように形成したものであり、摺動方向の凹凸を少なくすることにより、シャッターの摺動方向の動きが安定し、シャッターの引っ掛かりを抑えることができるのでシャッターの摺動性をさらに向上することができる。
【００２１】
請求項３記載の換気装置の発明は、前記本体の下方に突出して形成する前記シャッターのシャッター操作部寄りに、前記シャッターよりも幅狭な部分を形成し、この部分に前記第１の凸部を設けたものであり、よりシャッターへの操作力が伝わりやすくなることにより、小さな操作力でより安定した摺動性を確保することができる。
【００２２】
請求項４記載の換気装置の発明は、前記第１の凸部を前記シャッターカバーで覆われていない部分に設けたものであり、シャッターと本体の位置関係が前記本体を壁に取り付ける際の取り付け状態に左右されにくくなることにより、さらに安定したシャッターの摺動性を確保することができる。
【００２３】
請求項５記載の換気装置の発明は、前記第１の凸部を複数個設けたものであり、前記第１の凸部の大きさや数を金型もしくは成形後に調節することにより、シャッターの摺動操作力の調整を容易に行うことができる。
【００２４】
請求項６記載の換気装置の発明は、前記シャッター、または前記本体の前記シャッターに対向する面のいずれか一方に第２の凸部を設け、他方に凹部を設け、前記第２の凸部と前記凹部を嵌合させて前記シャッターを全開または全閉の位置で保持する構成としたものであり、前記第２の凸部と前記凹部との間に嵌合力を持たせることで、前記シャッターが保持位置から不用意に動いてしまうのを防止し、さらに前記シャッターの全開もしくは全閉の位置を操作感覚を与えることにより容易に使用者に知らしめることができる。
【００２５】
請求項７記載の換気装置の発明は、前記シャッターを所定の開口状態で保持する構成としたものであり、所定の開口状態におけるシャッター操作に操作感覚を与えることにより、所定の給気量もしくは排気量を容易、かつ明瞭に設定することが可能となる。
【００２６】
請求項８記載の換気装置の発明は、前記シャッターを複数段階で選択して保持する構成としたものであり、シャッターを複数段階で保持できる位置に前記第２の凸部と前記凹部を嵌合させてシャッター操作に操作感覚を与えられることにより、給気量もしくは排気量の複数段階の調節が容易、かつ明瞭に行える。
【００２７】
請求項９記載の換気装置の発明は、前記第２の凸部と前記第１の凸部をシャッターの摺動方向に並べて設けたものであり、シャッターが摺動時に前記第１の凸部から前記第２の凸部へ移行しやすくすることにより、前記シャッター摺動時の引っ掛かりを軽減しスムーズな摺動性を確保することができる。
【００２８】
請求項１０記載の換気装置の発明は、前記第２の凸部の周囲に台座を設けたものであり、前記シャッターが摺動時に台座を経由して前記第２の凸部に移行するとすることにより、前記シャッター摺動時の引っ掛かりをさらに軽減しスムーズな摺動性を確保することができる。
【００２９】
請求項１１記載の換気装置の発明は、前記第２の凸部および前記凹部の外周部を傾斜させて形成したものであり、前記第２の凸部と前記凹部を嵌合時の引っ掛かりを軽減させる構成とすることにより、より確実なシャッター保持力をスムーズな摺動性を確保しつつ持たせることが可能となる。
【００３０】
以下、本発明の実施の形態について、空調換気扇を例にして図１〜図７を参照しながら説明する。
【００３１】
（実施の形態１）
図１〜図６に示すように、排気用ファン１を渦巻状の排気用ファンケーシング２で囲み形成された排気用送風機３を前方側に設け、給気用ファン４を渦巻状の給気用ファンケーシング５で囲み形成された給気用送風機６を後方側に設け、背面側に室外に対向して壁部７を貫通して形成されるダクトと連通する室外側開口としての室外側排気口８と室外側給気口９を設け、前面側に室内側開口としての室内側排気口１０と室内側給気口１１を設け、給気用送風機６により屋外から供給される給気流と、排気用送風機３により屋内から排出される排気流が熱交換できるように、給気流と排気流が交錯する位置に熱交換器１２を設けて換気装置１７の本体１３を構成する。本体１３の背面側に室外側排気口８と室外側給気口９を遮蔽するようにシャッター開口部１４ａを備えたシャッター１４を形成し、シャッター１４よりも幅を狭く形成したシャッター操作部１５を設け、シャッター１４を覆うように所定の隙間を確保してシャッターカバー１６を形成する。
【００３２】
また、換気装置１７において、本体１３の背面のシャッターカバー１６で覆われてない外側位置にシャッター摺動方向に長くなるように形成した第１の凸部１８を上下方向に複数個設け、第１の凸部１８と摺動方向に並んだ位置に第２の凸部１９を設け、第２の凸部１９の周囲にはそれぞれ台座２０を形成する。
【００３３】
また、シャッター１４の第２の凸部１９と対向する位置に、第２の凸部１９と嵌合する凹部２１を設け、第２の凸部１９と凹部２１の外周部は傾斜部２２により傾斜させて形成している。
【００３４】
また、図７に示すように、本体１３とシャッターカバー１６の通風方向の間隔を示すＡ寸法を３〜４ｍｍ、シャッター１４の肉厚を示すＢ寸法を２〜３ｍｍ、本体１３のシャッター１４と対向する面から突出する第１の凸部１８の高さを示すＣ寸法を約１ｍｍと設定すると、シャッターのがたつきの防止および摺動性の向上に効果がある。
【００３５】
例えば、Ａ寸法を３．５ｍｍ、Ｂ寸法を２ｍｍ、Ｃ寸法を１．３ｍｍとした場合、気密に影響がない程度にシャッター１４が傾くので、シャッター１４の上部では本体１３とシャッター１４が当接し、下部ではシャッターカバー１６とシャッター１４がほぼ当接するような位置関係になることにより、シャッター１４のがたつきが抑えられることが確認できている。
【００３６】
また、上記寸法構成の場合、下部においてシャッターカバー１６とシャッター１４との間隔は０．２ｍｍとなり、これはシャッター１４の摺動性能を維持しつつ、がたつきを抑えるのに適していることも確認できている。
【００３７】
かかる構成において、図４に示すように、本体１３とシャッターカバー１６により形成される隙間でシャッター１４を摺動させることで、室内と室外を連通させる室外側排気口８および室外側給気口９の開口を、シャッター開口部１４ａが形成されていないシャッター１４の部分で調節したり遮断したりする。このシャッター１４の摺動時、シャッター１４はシャッター摺動方向に長い形状の第１の凸部１８上を摺動するので、本体１３とシャッターカバー１６に設けられた空間でシャッター１４のがたつきが発生するのを抑え、室内外の気密を高めることができる。このことにより換気装置停止時に、より高い遮音性能を得ることができる。また、換気装置の運転時においてはシャッター１４のがたつきにより騒音が発生するのを防ぐことができるので、換気装置運転時の低騒音化が図れる。さらに、第１の凸部１８とシャッター１４の当接部分は線接触を形成するので、摺動時に発生する摩擦抵抗を軽減することができ、より高い摺動性能を得ることができる。さらに、本体の下方に突出して形成されるシャッター１４のシャッター操作部１５寄りにシャッター１４よりも幅狭な部分を形成して、この部分に第１の凸部１８を設けているので、第１の凸部１８により得られるシャッター１４の動きを安定させる力として使用者の操作力を容易にシャッターに伝えられることになり、小さな操作力でより高い摺動性能を得ることができる。
【００３８】
特に、図１に示すような熱交換形換気扇等においては大風量を確保する必要があるため、熱交換素子の入り口付近に高静圧がかかり本体が振動しやすくなるので、がたつきを抑え、騒音を低減する効果が大きい。
【００３９】
なお、本実施の形態において、第１の凸部１８を摺動方向に長い形状としたが、球状の凸形状として、第１の凸部１８とシャッター１４の当接部に点接触を形成させても同様の効果を奏する。
【００４０】
なお、本実施の形態において、第１の凸部１８を３箇所設けたが、１箇所またはそれ以上に設けても同様の効果を奏する。
【００４１】
また、図２に示すように、第１の凸部１８を複数個設ける場合には、その大きさや数を金型、もしくは成形後に調整することでシャッターとの間に生じる摩擦抵抗力の微調整が容易にできるので、取付条件、使用条件に応じてシャッターの摺動性能の調整が臨機応変に可能となる。
【００４２】
また、図４に示すように、第１の凸部１８をシャッターカバー１６で覆われていない外側の位置に設けることで、換気装置１７を取り付ける取付面の歪みや取付状態のバラツキ等によってシャッターカバー１６に変形が生じた場合、第１の凸部１８はその状態に影響されにくくなり、さらにシャッター１４の弾性を利用することができるので、如何なる時も安定した摺動性能を得ることができる。
【００４３】
また、図２および図６に示すように、シャッター１４を摺動させた時に、第１の凸部１８のシャッター摺動方向に並んだ位置に設けた第２の凸部１９、１９Ａ、１９Ｂと、シャッター１４が全開、全閉の位置で第２の凸部１９、１９Ａと嵌合するようにシャッター１４に設けた凹部２１が嵌合し保持されるので、外的要因によって不用意にシャッター１４が動いてしまうのを防ぎ、使用者にシャッターの操作感覚を与えることにより、誤操作される可能性を軽減することとなる。また、第１の凸部１８と第２の凸部１９をシャッターの摺動方向に並んだ位置に設けているので、シャッター１４の摺動中に違和感を感じることなく第１の凸部１８から第２の凸部１９にシャッターが移行し、よりスムーズなシャッター摺動性を得ることができる。
【００４４】
なお、本実施の形態において、第２の凸部１９、１９Ａを２箇所設けたが、図５に示すように３箇所設けることで、所定の開口状態にシャッター１４を保持することも可能になる。
【００４５】
なお、本実施の形態において、第２の凸部１９、１９Ａを２箇所設けたが、図５に示すように３箇所設けることで、開口状態を複数段階で選択して保持することも可能になる。
【００４６】
また、図２に示すように、第２の凸部１９、１９Ａの周囲に台座２０を設けることで、シャッター摺動時に第１の凸部１８から、台座２０を経由して第２の凸部１９、１９Ａ、１９Ｂに移行するので、よりスムーズな摺動性を確保することができる。
【００４７】
また、図６に示すように、第２の凸部１９、１９Ａ、１９Ｂと凹部２１の外周部にそれぞれ傾斜部２２を設けることにより、嵌合時の引っ掛かりが軽減され、より確実なシャッター保持力をシャッターの摺動性を損なうことなく得ることができる。
【００４８】
なお、本実施の形態では排気用送風機と給気用送風機を有する換気装置１７を例に説明したが、同様の送風機を有するものであれば送風機器、空調機器等であっても、同様の効果を奏するものである。
【００４９】
また、本実施の形態では、第１の凸部１８および第２の凸部１９を、本体１３側に設けたものであるが、シャッター１４側に設けた場合でも、シャッター１４と本体１３の間に介在するように設けることになり、本実施の形態と同様の作用効果を奏するものである。
【産業上の利用可能性】
【００５０】
本発明にかかる換気装置は、本体背面に設けた室内と室外を遮断するためのシャッターのがたつきを抑え、気密を維持しつつ、使用者がシャッターの操作をスムーズに行なうことが可能になるものであり、本発明は屋内からの排気や屋内への給気を行なうため建物の内部に設けられる換気装置や空調装置に適用することにおいて有用である。
【図面の簡単な説明】
【００５１】
【図１】本発明の実施の形態１における換気装置の壁面取付状態を示す断面図
【図２】同換気装置を示す背面斜視図
【図３】同換気装置のシャッターを示す斜視図
【図４】同換気装置の組立状態を示す背面斜視図
【図５】同換気装置の第２の凸部を示す背面斜視図
【図６】同換気装置の背面側の構成を平面視した断面図
【図７】同換気装置の背面側の構成を示す断面図
【図８】従来の空調換気扇の構成を示す断面図
【符号の説明】
【００５２】
８    室外側排気口
９    室外側給気口
１０    室内側排気口
１１    室内側給気口
１３    本体
１４    シャッター
１５    シャッター操作部
１６    シャッターカバー
１７    換気装置
１８    第１の凸部
１９    第２の凸部
１９Ａ  第２の凸部
１９Ｂ  第２の凸部
２０    台座
２１    凹部
２２    傾斜部
【図１】
2005337536.tif 000003
【図２】
2005337536.tif 000004
【図３】
2005337536.tif 000005
【図４】
2005337536.tif 000006
【図５】
2005337536.tif 000007
【図６】
2005337536.tif 000008
【図７】
2005337536.tif 000009
【図８】
2005337536.tif 000010